(57)【特許請求の範囲】
【請求項１】
樹脂製のベースと前面パネルとによって形成される筐体内部に熱交換器、ファン、コントロールボックスを含む構成機器を設置してなる空気調和機において、
上記ベースの一部に形成されたポケットと、同ポケットに僅かな隙間を保って着脱自在に設けられたカバーとで構成される衝撃吸収部分を設けてなることを特徴とする空気調和機。
【請求項２】
樹脂製のベースと前面パネルとによって形成される筐体内部に熱交換器、ファン、コントロールボックスを含む構成機器を設置してなる空気調和機において、
上記ベースの一部に形成された蛇腹にて構成される衝撃吸収部分を設けてなることを特徴とする空気調和機。
【請求項３】
樹脂製のベースと前面パネルとによって形成される筐体内部に熱交換器、ファン、コントロールボックスを含む構成機器を設置してなる空気調和機において、
上記ベースの一部を切り欠き、その部分に軟質部材を挿入して構成される衝撃吸収部分を設けてなることを特徴とする空気調和機。
【発明の詳細な説明】
【０００１】
【発明の属する技術分野】
本発明は、樹脂製のベースと前面パネルとによって形成される筐体を有する空気調和機に関する。
【０００２】
【従来の技術】
最近、いわゆるエアコンで代表される空気調和機の普及は目覚ましいものがあり、各家庭で多く設置されるようになっている。
【０００３】
ところで、このような空気調和機のうち、壁掛型と呼ばれるものは、室内ユニットの筐体を樹脂成形品よりなるベースと前面パネルとによって形成し、このような筐体内部に、熱交換器、ファン、コントロールボックスを含む構成機器を設置している。
【０００４】
また、このような構成機器を設置してなる筐体は、その強度をベースに持たせるようにしており、これには、ベースを形成する樹脂自身の強さと、板厚により剛性を決定している。さらに、エアコンの運搬時や据え付けの際などに、誤って落下させてしまった場合の破壊から保護するための対策も、設計の段階で必要な剛性を加味するなどすることで対処している。
【０００５】
【発明が解決しようとする課題】
ところが、このようにベースの破壊対策としての剛性アップには、例えば、ベース中の各所の梁の数を増やしたり、ベースの肉厚を厚くすることなどが考えられるが、これらの対策には限界があり、さらに、ベース重量の増加を招き、取扱いが面倒になるばかりか、コストアップを招くという問題があった。
【０００６】
本発明は、上記事情に鑑みてなされたもので、樹脂製ベースの破壊を確実に防止できる空気調和機を提供することを目的とする。
【０００７】
【課題を解決するための手段】
請求項１記載の発明は、樹脂製のベースと前面パネルとによって形成される筐体内部に熱交換器、ファン、コントロールボックスを含む構成機器を設置してなる空気調和機において、上記ベースの一部に形成されたポケットと、同ポケットに僅かな隙間を保って着脱自在に設けられたカバーとで構成される衝撃吸収部分を設けてなることを特徴としている。
【０００８】
請求項２記載の発明は、樹脂製のベースと前面パネルとによって形成される筐体内部に熱交換器、ファン、コントロールボックスを含む構成機器を設置してなる空気調和機において、上記ベースの一部に形成された蛇腹にて構成される衝撃吸収部分を設けてなることを特徴としている。
【０００９】
請求項３記載の発明は、樹脂製のベースと前面パネルとによって形成される筐体内部に熱交換器、ファン、コントロールボックスを含む構成機器を設置してなる空気調和機において、上記ベースの一部を切り欠き、その部分に軟質部材を挿入して構成される衝撃吸収部分を設けてなることを特徴としている。
【００１１】
【発明の実施の形態】
以下、本発明の実施の形態を図面に従い説明する。
（第１の実施の形態）
図１は、本発明が適用される空気調和機の室内ユニットの概略構成を示している。図において、１はユニットベースで、このユニットベース１の前面に前面パネル２を設けユニット筐体を形成している。
【００１２】
前面パネル２は、前面および上面にエア吸い込み口２１を有し、また、前面の下部にエア吹き出し口２２を有している。
【００１３】
また、この前面パネル２の内側に、エアフィルタ３を介して熱交換器４１、４２、４３を配置し、さらに、この熱交換器４１、４２、４３の内側にクロスフローファン５を配置していて、これら熱交換器４１、４２、４３で生成される冷暖房のためのエアをクロスフローファン５の回転により前面パネル２のエア吹き出し口２２より吹き出すようにしている。なお、６は、エア吹き出し口２２より吹き出されるエアの方向を可変するためのルーバである。
【００１４】
この場合、前面パネル２とともにユニット筐体を形成するユニットベース１は、樹脂成形品よりなるもので、図２に示すようにユニットベース本体１１の一方端部に上面から裏面にかけて切欠いて衝撃吸収用のポケット１２を形成している。  そして、このようなポケット１２には、該ポケット１２による切欠き部分を閉塞するための樹脂製のカバー１３を僅かな隙間を保って着脱可能に設置している。
【００１５】
この場合、ポケット１２のユニットベース本体１１上面側の開口部１２１には、カバー１３を載置する一対の棚部１２２をそれぞれ水平方向に相対向させて突設している。これら棚部１２２には、それぞれカバー１３の後述する止爪１３２を係止する複数（図示例では２個）の孔部１２３を形成している。
【００１６】
一方、カバー１３は、先端部を直角に折り曲げ、この折り曲げ部１３１の側縁部に沿って上記棚部１２２の孔部１２３に対応する複数の係止爪１３２を設けている。またカバー１３の下部には、ポケット１２の底部側縁に係止される爪部１３３を設けている。
【００１７】
これにより、カバー１３は、爪部１３３をポケット１２の底部側縁に係止させるとともに、先端部を棚部１２２に載置した状態で、係止爪１３２を棚部１２２の孔部１２３に係止させることで、僅かな隙間を保ってポケット１２に取り付けられるようになっている。
【００１８】
しかして、このような構成とすると、ユニットベース１は、ポケット１２を有するユニットベース本体１１と、ポケット１２に取り付けられるカバー１３とで構成されることになる。こうすると、室内ユニットを扱い中に誤って落下させてしまい、仮に落下による衝撃力Ｆが図示矢印方向から加わったような場合も、ポケット１２が、部分的に剛性を低下させた衝撃吸収領域として作用することから、このポケット１２で、落下時の衝撃力Ｆは吸収されてしまい、ユニットベース本体１１の破壊を防止することができる。
【００１９】
なお、カバー１３は、カバー１３の爪部１３３をポケット１２の底部側縁に係止させるとともに、先端折り曲げ部１３１を棚部１２２に載置した状態で、係止爪１３２を孔部１２３に係止させることで、ポケット１２よる切欠き部分を閉塞する。
【００２０】
従って、このようにすれば、前面パネル２とともにユニット筐体を形成するユニットベース１のユニットベース本体１１の一方端部に上面から裏面にかけて切欠いて衝撃吸収用のポケット１２を形成するとともに、このポケット１２による切欠き部分を閉塞するためのカバー１３を着脱可能に設けるようにしたので、ポケット１２部分を剛性を低下させた衝撃吸収領域として作用させ、ユニットベース１に加わる衝撃を効率的に吸収できるようになり、従来のベースの破壊対策としての剛性アップを考慮したものと比べ、コストアップを招くことなく、ユニットベース１の破壊を防止することができる。
（第２の実施の形態）
図３は、本発明の第２の実施の形態の概略構成を示すもので、図２と同一部分には、同符号を付している。
【００２１】
この場合、前面パネル２とともにユニット筐体を形成するユニットベース１は、樹脂成形品よりなるもので、図３に示すようにユニットベース本体１１一方端部の上面の一部を衝撃吸収用の蛇腹１４にて構成している。
【００２２】
しかして、このように構成しても、室内ユニットを取り扱い中に誤って落下させてしまい、落下による衝撃力Ｆが図示矢印方向から加わったような場合も、蛇腹１４部分が、剛性を低下させた衝撃吸収領域として作用することから、この蛇腹１４部分で、落下時の衝撃力Ｆは吸収されてしまい、ユニットベース本体１１の破壊を防止することができる。
（第３の実施の形態）
図４は、本発明の第３の実施の形態の概略構成を示すもので、図２と同一部分には、同符号を付している。
【００２３】
この場合、前面パネル２とともにユニット筐体を形成するユニットベース１は、樹脂成形品よりなるもので、図４に示すようにユニットベース本体１１一方端部の上面の一部を衝撃吸収用の軟質樹脂などからなる軟質部材１５にて構成している。
【００２４】
しかして、このように構成しても、室内ユニットを取り扱い中に、落下による衝撃力Ｆが図示矢印方向から加わったような場合も、軟質部材１５が、剛性を低下させた衝撃吸収領域として作用することから、この軟質部材１５部分で、落下時の衝撃力Ｆは吸収されてしまい、ユニットベース本体１１の破壊を防止することができる。
【００２５】
【発明の効果】
以上述べたように本発明によれば、ベースの一部に部分的に剛性を低下させる衝撃吸収部分として、ポケット、蛇腹、軟質部材を設けることにより、外部から加わる衝撃力を吸収でき、ベースの破壊を確実に防止することができる。
【図面の簡単な説明】
【図１】  本発明が適用される空気調和機の概略構成を示す図。
【図２】  本発明の第１の実施の形態のベースの概略構成を示す図。
【図３】  本発明の第２の実施の形態のベースの概略構成を示す図。
【図４】  本発明の第３の実施の形態のベースの概略構成を示す図。
【符号の説明】
１…ユニットベース、
２…前面パネル、
２１…エア吸い込み口、
２２…エア吹き出し口、
３…エアフィルタ、
４１、４２、４３…熱交換器、
５…クロスフローファン、
６…ルーバ、
１１…ユニットベース本体、
１２…ポケット、
１２１…開口部、
１２２…棚部、
１２３…孔部、
１３…カバー、
１３１…折り曲げ部、
１３２…係止爪、
１３３…爪部、
１４…蛇腹、
１５…軟質部材。
【図１】
0003735179.tif 000002
【図２】
0003735179.tif 000003
【図３】
0003735179.tif 000004
【図４】
0003735179.tif 000005